(57)【要約】【課題】外気と内気の熱交換による冷却と外気を給気することによる冷却ができる施工性が良好な冷却装置を提供することを目的としている。【解決手段】発熱体収納箱１に連通した内気吸込口３と内気吹出口４を有し、外気と連通し設けられた外気吸込口５と外気吹出口６とを有した箱体７と、この箱体７内に内気を搬送する内気送風機８と、外気を搬送する外気送風機９と、内気と外気の顕熱を交換する熱交換素子１０を設けた流体の冷却装置であって、前記箱体７の周囲に断熱手段を備えた冷却装置である。【選択図】図１
2005347602.tif 000002
【特許請求の範囲】
【請求項１】
発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の周囲に断熱手段を備えた冷却装置。
【請求項２】
断熱手段として、覆い物を設けた請求項１記載の冷却装置。
【請求項３】
断熱手段として、断熱材を設けた請求項１記載の冷却装置。
【請求項４】
断熱手段として、反射部材を設けた請求項１記載の冷却装置。
【請求項５】
発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の外周に流体層を設けた冷却装置。
【請求項６】
流体層に水を設けた請求項５記載の冷却装置。
【請求項７】
流体層に油を設けた請求項５記載の冷却装置。
【請求項８】
流体層に空気を設けた請求項５記載の冷却装置。
【発明の詳細な説明】
【技術分野】
【０００１】
本発明は、設置スペースが限られており、内部に発熱体を有し、その発熱量が多く冬季においても冷却を要し、また、温度、湿度、粉塵などが電子部品の性能、寿命に影響を与えるような精密な制御基板を有する発熱体収納箱の冷却装置に関するものである。
【背景技術】
【０００２】
近年、電子部品の高性能化と制御基板に対する電子部品の高密度化が進み、制御基板からの発熱量は飛躍的に増加している。これに伴い、箱内の温度は上昇する傾向にあり、制御基板上にある電子部品の動作保証、製品寿命は箱内の温度に大きな影響を受ける。このため、箱内の温度を一定以下に冷却しなければ信頼性の確保が出来なくなってきている。
【０００３】
また、電子部品の精密化によって箱内の空気中の水分、粉塵を除去することも重要な要
素になってきている（例えば特許文献１参照）。
【特許文献１】特開２０００−１６１８７５号公報
【発明の開示】
【発明が解決しようとする課題】
【０００４】
しかしながら、前記従来の構成では、箱体は外部に露出して強い日光の陽射しにさらされて、冷却に用いる空気が高温になってしまうという課題がある。
【０００５】
また、冷却に用いる空気を強制的におこなうのは、多くの電気エネルギーを消費することになり、本来の自然エネルギーの活用にはならない。
【０００６】
本発明は、前記従来の課題を解決するもので、外周からの熱を断熱して外気の影響を受けにくい冷却装置を提供することを目的とする。
【課題を解決するための手段】
【０００７】
上記課題を解決するための本発明における冷却装置の一つの手段は、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の周囲に断熱手段を備えた冷却装置である。
【０００８】
また、断熱手段として、覆い物を設けた冷却装置である。
【０００９】
また、断熱手段として、断熱材を設けた冷却装置である。
【００１０】
また、断熱手段として、反射部材を設けた冷却装置である。
【００１１】
また、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の外周に流体層を設けた冷却装置である。
【００１２】
また、流体層に水を設けた冷却装置である。
【００１３】
また、流体層に油を設けた冷却装置である。
【００１４】
また、流体層に空気を設けた冷却装置である。
【発明の効果】
【００１５】
本発明によれば、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の周囲に断熱手段を備えることにより断熱効果が得られる。
【００１６】
また、本発明によれば、断熱手段として、覆い物を設けたことにより太陽などの自然エネルギーや人工の熱源から守るという効果が得られる。
【００１７】
また、本発明によれば、断熱手段として、断熱材を設けたことにより太陽などの自然エネルギーや人工の熱源からの熱を伝えにくくするという効果が得られる。
【００１８】
また、本発明によれば、断熱手段として、反射部材を設けたことにより太陽などの自然エネルギーや人工の熱源からの熱を跳ね返すという効果が得られる。
【００１９】
また、本発明によれば、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の外周に流体層を設けているので外周からの熱の影響を受けにくくするという効果が得られる。
【００２０】
また、本発明によれば、流体層に水を設けた冷却装置であり、水が熱を吸収して内部へ
伝わりにくくするという効果が得られる。
【００２１】
また、本発明によれば、流体層に油を設けた冷却装置であり、油が熱を吸収して内部へ
伝わりにくくするという効果が得られる。
【００２２】
また、本発明によれば、流体層に空気を設けた冷却装置であり、空気が熱を吸収して内部へ伝わりにくくするという効果が得られる。
【発明を実施するための最良の形態】
【００２３】
本発明の請求項１記載の発明は、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の周囲に断熱手段を備えるという作用を有する。
【００２４】
本発明の請求項２に記載の発明は、断熱手段として、覆い物を設けているので直接外観の熱を受けにくくするという作用を有する。
【００２５】
本発明の請求項３に記載の発明は、断熱手段として、断熱材を設けたことにより太陽などの自然エネルギーや人工の熱源からの熱を伝えにくくするという作用を有する。
【００２６】
本発明の請求項４に記載の発明は、断熱手段として、反射部材を設けたことにより熱を反射するという作用を有する。
【００２７】
本発明の請求項５に記載の発明は、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の外周に流体層を設けたことにより熱を直接伝えないという作用を有する。
【００２８】
本発明の請求項６に記載の発明は、流体層に水を設けたことにより熱を直接伝えないという作用を有する。
【００２９】
本発明の請求項７に記載の発明は、流体層に油を設けたことにより熱を直接伝えないという作用を有する。
【００３０】
本発明の請求項８に記載の発明は、流体層に空気を設けたことにより熱を直接伝えないという作用を有する。
【００３１】
以下、本発明の実施の形態について図面を参照しながら説明する。
【００３２】
（実施の形態１）
図１に示すように、発熱体収納箱１に発熱体２があり、発熱体収納箱１に連通した内気吸込口３と内気吹出口４を有し、外気と連通し設けられた外気吸込口５と外気吹出口６とを有した箱体７である。
【００３３】
図２は、内部の構成と空気の流れを現わしたものであり、この箱体７内に内気を搬送する内気送風機８と、外気を搬送する外気送風機９と、内気と外気の顕熱を交換する熱交換素子１０を設けた流体の冷却装置であって、前記箱体７の周囲に断熱手段を備えた冷却装置である。発熱体収納箱１の内部の発熱体２は、密閉された空間に閉じ込められているため、内部に熱がこもった状態になるため冷却が必要である。
【００３４】
上記構成において、箱体７の断熱手段として、覆い物１１を設けて屋外でうける太陽などの熱を遮断することにより冷却用の空気の加熱と箱体７本体の加熱を防ぐことができる。
【００３５】
即ち、内気が内気送風機８で発熱体収納箱１に導かれ、外気が熱交換素子１０を通ることにより内気を冷却する。
【００３６】
その結果、内気と外気は熱交換素子１０で熱交換されるため、外部の粉塵などが発熱体収納箱１に入ることなく冷却されことになる。
【００３７】
（実施の形態２）
図３に示すように、断熱手段として、断熱材１２を設けたものである。屋外での熱があたる部分を断熱材１２で覆うことにより、熱を遮断して熱交換素子１０を流れる外気の温度を低くできる。
【００３８】
（実施の形態３）
図４に示すように、断熱手段として、反射部材１３を設けたものである。屋外での熱があたる部分反射部材１３で反射することにより、熱を跳ね返して熱交換素子１０を流れる外気の温度を低くできる。
【００３９】
（実施の形態４）
図５に示すように、発熱体収納箱１に連通した内気吸込口３と内気吹出口４を有し、外気と連通し設けられた外気吸込口５と外気吹出口６とを有した箱体７と、この箱体７内に内気を搬送する内気送風機８と、外気を搬送する外気送風機９と、内気と外気の顕熱を交換する熱交換素子１０を設けた流体の冷却装置であって、前記箱体７の外周に循環囲い箱１４を設け、入口１５と出口１６をつけて中の流体が循環するように循環流体層１７を備え、流体には外部からの熱を吸収し、箱体７で発生した熱も流体に伝えることになり両方の熱を吸収する。
【００４０】
たとえば、流体としては熱伝導のよいものが効果として大きいが、入手性から水を用いた冷却装置が考えられる。
水は、入手しやすい流体であり循環することにより冷却効果を高めることができる。
【００４１】
（実施の形態５）
図６に示すように、前記箱体の外周に流体囲い箱１８を設け、中に流体層１９を備えたものであり、流体層１９に油を用いたものである。
【００４２】
油は、水を循環できない場所では有効である。
【００４３】
（実施の形態６）
図６に示すように、流体層１９に空気を設けたものである。
【００４４】
空気の層を中に形成しても断熱効果がある。
【産業上の利用可能性】
【００４５】
以上のように本発明によれば、発熱体収納箱に連通した内気吸込口と内気吹出口を有し、外気と連通し設けられた外気吸込口と外気吹出口とを有した箱体と、この箱体内に内気を搬送する内気送風機と、外気を搬送する外気送風機と、内気と外気の顕熱を交換する熱交換素子を設けた流体の冷却装置であって、前記箱体の周囲に断熱手段を備えることにより外部の熱を遮断できる用途に適用できる。
【図面の簡単な説明】
【００４６】
【図１】本発明の実施の形態１の構成図
【図２】本発明の実施の形態１の動作図
【図３】本発明の実施の形態２の構成図
【図４】本発明の実施の形態３の構成図
【図５】本発明の実施の形態４の構成図
【図６】本発明の実施の形態５、６の構成図
【符号の説明】
【００４７】
１  発熱体収納箱
２  発熱体
３  内気吸込口
４  内気吹出口
５  外気吸込口
６  外気吹出口
７  箱体
８  内気送風機
９  外気送風機
１０  熱交換素子
１１  覆い物
１２  断熱材
１３  反射部材
１４  循環囲い箱
１５  入口
１６  出口
１７  循環流体層
１８  流体囲い箱
１９  流体層
【図１】
2005347602.tif 000003
【図２】
2005347602.tif 000004
【図３】
2005347602.tif 000005
【図４】
2005347602.tif 000006
【図５】
2005347602.tif 000007
【図６】
2005347602.tif 000008